(57)【要約】【課題】複数のプリント配線板を効率よく冷却できる電子機器を提供する。【解決手段】電子機器は、筐体１６と、第１から第３のプリント回路板１２Ｃと、第１から第３のプリント回路板１２Ｃから発生した熱を筐体１６の外部に排出するファンユニット１５と、を具備する。第１のプリント回路板１２Ａは、第１のプリント配線板２３と、これに固定される第１の発熱部品２４と、を有する。第２のプリント回路板１２Ｂは、第２のプリント配線板２６と、第２の発熱部品２７および第３の発熱部品２８とを有し、第１のプリント回路板１２Ａよりも大きい発熱量を有するとともに、第１のプリント回路板１２Ａと第２の壁２２との間の位置で配置する。第３のプリント回路板１２Ｃは、第３のプリント配線板３１と、第４の発熱部品３２とを有し、第１のプリント回路板１２Ａよりも小さい発熱量を有するとともに、第１のプリント回路板１２Ａと第１の壁２１との間の位置で配置する。【選択図】図６
2011077347.tif 000002
【特許請求の範囲】
【請求項１】
支持部を有する第１の壁と、前記第１の壁と対向する第２の壁と、を有する筐体と、
前記筐体の内部に収容されるとともに、第１のプリント配線板と、これに固定される第１の発熱部品と、を有した第１のプリント回路板と、
前記筐体の内部に収容されるとともに、第２のプリント配線板と、これに固定される第２の発熱部品および第３の発熱部品とを有し、前記第１のプリント回路板よりも大きい発熱量を有するとともに、前記第１のプリント回路板と前記第２の壁との間の位置で、隙間を有して前記第１のプリント回路板に対向した第２のプリント回路板と、
前記筐体の内部に収容されるとともに、第３のプリント配線板と、これに固定される第４の発熱部品とを有し、前記第１のプリント回路板よりも小さい発熱量を有するとともに、前記第１のプリント回路板と前記第１の壁との間の位置で、隙間を有して前記第１のプリント回路板に対向した第３のプリント回路板と、
前記筐体の内部に収容されるとともに、前記第１のプリント回路板、前記第２のプリント回路板、および前記第３のプリント回路板から発生した熱を前記筐体の外部に排出するファンユニットと、
を具備することを特徴とする電子機器。
【請求項２】
前記第２の発熱部品および前記第３の発熱部品は、前記第２のプリント配線板の下面に固定されており、
前記第２のプリント回路板は、前記ファンユニットの上側に重なって配置されたことを特徴とする請求項１に記載の電子機器。
【請求項３】
前記第２の発熱部品に熱的に接続された第１の端部と、前記第１の端部とは反対側に設けられるとともに前記ファンユニットの近傍に配置された第２の端部と、を有した第１のヒートパイプを具備し、
前記ファンユニットは、
ファン本体と、
前記ファン本体の周囲を取り囲むファンケースと、
を備え、
前記ファンケースは、
上部に設けられるとともに前記筐体の内部と前記ファンケースの内部とを連続させた第１の吸気口部と、
下部に設けられるとともに前記筐体の外部と前記ファンケースの内部とを連続させた第２の吸気口部と、
側部に設けられるとともに前記ファン本体からの送風を前記筐体の外部に向けて送るための排気口部と、
を有し、
前記第２の発熱部品の発熱量は、前記第３の発熱部品の発熱量よりも大きくなっており、
前記第２の端部は、前記排気口部の下側の半部に対向して配置されることを特徴とする請求項２に記載の電子機器。
【請求項４】
前記第３の発熱部品に熱的に接続される第３の端部と、前記第３の端部とは反対側に設けられるとともに前記ファンユニットの排気口部の近傍に配置される第４の端部と、を有した第２のヒートパイプを具備することを特徴とする請求項３に記載の電子機器。
【請求項５】
前記第１のプリント回路板は、前記第２のヒートパイプと重なる位置で、前記第１のヒートパイプから外れた位置に配置されたことを特徴とする請求項４に記載の電子機器。
【請求項６】
前記ファンユニットと前記第２の発熱部品との距離は、前記ファンユニットと前記第３の発熱部品との距離よりも短いことを特徴とする請求項５に記載の電子機器。
【請求項７】
前記第３の発熱部品は、前記第１の発熱部品に重なる位置に設けられるとともに、前記第２の発熱部品は、前記第１の発熱部品から外れた位置に設けられることを特徴とする請求項６に記載の電子機器。
【請求項８】
前記筐体に設けられるとともに、外部から前記筐体の内部に空気を取り入れることができる開口部と、
第４の発熱部品の冷却を促進するための複数の放熱フィンを有したヒートシンクを具備し、
前記複数の放熱フィンは、前記開口部と前記ファンユニットとを結んだ方向に沿った方向に配置されたことを特徴とする請求項７に記載の電子機器。
【発明の詳細な説明】
【技術分野】
【０００１】
本発明は、複数のプリント配線板を有する電子機器に関する。
【背景技術】
【０００２】
カバーの内部に複数のプリント配線板を配置した電子機器が配置されている。この電子機器は、アルミダイカストなどにより平板状に形成されたベース部材と、ベース部材の一方の面に取り付けられた第１から第３のプリント基板と、を有している。第１のプリント基板には、コンデンサや電磁コイルなどの大質量の大型電子部品が装着されている。第２のプリント基板には、パワートランジスタのベアチップ部品などの発熱部品が搭載されている。また、第３のプリント基板には、小型電子部品が実装されている。
【０００３】
第２のプリント基板とベース部材との接着には、高熱伝導性のシリコン接着剤が用いられ、発熱部品の熱がベース部材に容易に放熱される（例えば、特許文献１参照）。
【先行技術文献】
【特許文献】
【０００４】
【特許文献１】特開２００１−３３２８６８号公報
【発明の概要】
【発明が解決しようとする課題】
【０００５】
上記構造の電子機器では、第２のプリント基板から発生した熱がベース部材を介して周囲に拡散する。しかしながら、このベース部材には、第１のプリン基板および第３のプリント基板が接着されているため、第２のプリント基板から発生した熱が第１のプリント基板および第３のプリント基板に伝達され、これらに対して熱的に悪影響を及ぼしていた。
【０００６】
本発明の目的は、複数のプリント配線板を効率よく冷却できる電子機器を提供することにある。
【課題を解決するための手段】
【０００７】
前記目的を達成するため、本発明の一つの形態に係る電子機器は、支持部を有する第１の壁と、前記第１の壁と対向する第２の壁と、を有する筐体と、前記筐体の内部に収容されるとともに、第１のプリント配線板と、これに固定される第１の発熱部品と、を有した第１のプリント回路板と、前記筐体の内部に収容されるとともに、第２のプリント配線板と、これに固定される第２の発熱部品および第３の発熱部品とを有し、前記第１のプリント回路板よりも大きい発熱量を有するとともに、前記第１のプリント回路板と前記第２の壁との間の位置で、隙間を有して前記第１のプリント回路板に対向した第２のプリント回路板と、前記筐体の内部に収容されるとともに、第３のプリント配線板と、これに固定される第４の発熱部品とを有し、前記第１のプリント回路板よりも小さい発熱量を有するとともに、前記第１のプリント回路板と前記第１の壁との間の位置で、隙間を有して前記第１のプリント回路板に対向した第３のプリント回路板と、前記筐体の内部に収容されるとともに、前記第１のプリント回路板、前記第２のプリント回路板、および前記第３のプリント回路板から発生した熱を前記筐体の外部に排出するファンユニットと、を具備する。
【発明の効果】
【０００８】
上記の構成によれば、複数のプリント配線板を効率よく冷却できる電子機器を提供できる。
【図面の簡単な説明】
【０００９】
【図１】第１の実施形態に係る電子機器の一例であるテレビ接続機器を示す斜視図。
【図２】図１に示すテレビ接続機器の水平方向に沿った断面図。
【図３】図１に示すテレビ接続機器の内部を背面方向から示した背面図。
【図４】図１に示すテレビ接続機器の水平方向に沿った断面図であって、図２に示す断面図とは異なる高さで切断して示した断面図。
【図５】図１に示すテレビ接続機器の第２のプリント回路板を示した上面図。
【図６】図１に示すテレビ接続機器のＦ６−Ｆ６線に沿った断面図。
【図７】図１に示すテレビ接続機器の水平方向に沿った断面図であって、図２に示す断面図とは異なる高さで切断して示した断面図。
【発明を実施するための形態】
【００１０】
以下に、図１から図７を参照して、電子機器の一例であるテレビ接続機器の実施形態について説明する。このテレビ接続機器は、薄型テレビ等に接続されて使用されるものであり、例えば各種のテレビ番組を受信する機能および複数のテレビ番組を同時に録画したり、長時間番組を録画したりする機能を有する。このテレビ接続機器では、地上波デジタル放送、ＢＳデジタル放送、ＣＳデジタル放送をそれぞれ受信して、これらの番組を録画することができる。
【００１１】
また、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１２】
図１に示すように、テレビ接続機器１１は、装置の外郭をなした箱状の筐体１６を備えている。図１、図３、図６に示すように、筐体１６は、支持部１０を有する第１の壁２１と、第１の壁２１と対向する第２の壁２２と、を有する。
【００１３】
図２、図３に示すように、テレビ接続機器１１は、さらに、第１〜第３のプリント回路板１２Ａ〜Ｃと、第１および第２のヒートパイプ１３Ａ，Ｂと、第１および第２のヒートシンク１４Ａ，Ｂと、第１〜第３のプリント回路板１２Ａ〜Ｃを冷却するためのファンユニット１５と、を筐体１６の内部に備えている。また、テレビ接続機器１１は、第１および第２の補助ファンユニット５３と、映像を記憶するための記憶装置である第１および第２のハードディスクドライブ装置１７Ａ，Ｂと、認証用のカードを差し込み可能なカードホルダー１８と、複数の電源回路部品１９を実装した電源回路基板２０と、を筐体１６の内部に備えている。
【００１４】
第１のプリント回路板１２Ａは、いわゆるチューナ基板であり、第１のプリント配線板２３と、第１のプリント配線板２３の一方の面（上面）に固定された第１の発熱部品２４と、を有している。本実施形態において第１の発熱部品２４は、例えば、チューナで構成される。第１のプリント回路板１２Ａ全体の発熱量は、例えば、１５−２０Ｗ程度である。図２と図３に示すように、第１のプリント回路板１２Ａは、上方から見て、第２のヒートパイプ１３Ｂと重なる位置で、第１のヒートパイプ１３Ａから外れた位置に配置されている。
【００１５】
第２のプリント回路板１２Ｂは、第１のプリント回路板１２Ａよりも上側の位置で、第１のプリント回路板１２Ａと第２の壁２２との間の位置に設けられている。第２のプリント回路板１２Ｂは、いわゆるメイン基板（セル基板）であり、テレビ接続機器１１の各部品の制御を統括している。第２のプリント回路板１２Ｂは、第１のプリント回路板１２Ａとの間に隙間を有して第１のプリント回路板１２Ａに対向している。図２、図３に示すように、第２のプリント回路板１２Ｂは、ファンユニット１５の一部に上側から重なるように配置されている。
【００１６】
図２、図３、図５に示すように、第２のプリント回路板１２Ｂは、第２のプリント配線板２６と、第２のプリント配線板２６の一方の面（下面）に固定された第２の発熱部品２７および第３の発熱部品２８と、その他の発熱部品と、を備えている。第２のプリント回路板１２Ｂは、第１のプリント回路板１２Ａおよび第３のプリント回路板１２Ｃよりも大きく形成されている。第２のプリント回路板１２Ｂは、第１のプリント回路板１２Ａおよび第３のプリント回路板１２Ｃの上部を蓋状に覆っており、第１〜第３のプリント回路板１２Ａ〜Ｃから発生した熱がファンユニット１５に積極的に向かうようになっている。
【００１７】
第２の発熱部品２７は、例えばセルプロセッサと呼ばれる回路部品で構成される。第２の発熱部品２７の発熱量は、例えば、５０Ｗ程度である。また、図３に示すように、第２の発熱部品２７は、第１の発熱部品２４から外れた位置に設けられている。
【００１８】
第３の発熱部品２８は、例えばＩ／Ｏコントローラ等の回路部品で構成される。第３の発熱部品２８の発熱量は、例えば、１５Ｗ程度である。図３に示すように、第３の発熱部品２８は、第１の発熱部品２４に重なる位置に配置されている。その他の発熱部品には、ＲＡＭ等の回路部品が含まれている。従って、第２のプリント回路板１２Ｂ全体の発熱量は、例えば、５０−１００Ｗ程度であり、第１のプリント回路板１２Ａよりも大きい発熱量を有している。
【００１９】
図２、図３に示すように、第３のプリント回路板１２Ｃは、第１のプリント回路板１２Ａよりも下側の位置で、第１のプリント回路板１２Ａと第１の壁２１との間の位置に設けられている。第３のプリント回路板１２Ｃは、いわゆる画像処理基板である。第３のプリント回路板１２Ｃは、第１のプリント回路板１２Ａとの間に隙間を有して第１のプリント回路板１２Ａに対向している。第３のプリント回路板１２Ｃは、第３のプリント配線板３１と、第３のプリント回路板１２Ｃの一方の面（上面）に固定された第４の発熱部品３２と、を有している。第４の発熱部品３２は、例えば画像処理用の回路部品で構成される。第３のプリント回路板１２Ｃ全体の発熱量は、例えば、１−１０Ｗ程度であり、第１のプリント回路板１２Ａよりも小さい発熱量を有している。このため、３つのプリント回路板１２Ａ〜Ｃは、発熱量の大きい順に上側から並んでいる。
【００２０】
図２、図３、図５に示すように、第１のヒートパイプ１３Ａは、第２の発熱部品２７の冷却用に用いられる。第１のヒートパイプ１３Ａは、２本で構成されており、それぞれ外径８ｍｍのロッド状に形成されている。第１のヒートパイプ１３Ａは、例えば銅などによって形成された中空な棒状の本体の内部に、水などの作動流体を封入して形成されている。２本の第１のヒートパイプ１３Ａは、第２の発熱部品２７に熱的に接続された第１の端部３３と、第１の端部３３とは反対側に設けられた第２の端部３４と、をそれぞれ有している。第１の端部３３は、第１の受熱板３５を介して第２の発熱部品２７に熱的に接続されている。第２の端部３４は、ファンユニット１５の近傍に配置されている。
【００２１】
より具体的には、一方の第１のヒートパイプ１３Ａａの第２の端部３４は、ファンユニット１５の後述する排気口部４６の下側の半部４６Ａに対向している。また、他方の第１のヒートパイプ１３Ａｂの第２の端部３４は、ファンユニット１５の後述する排気口部４６の上側の半部４６Ｂに対向している。
【００２２】
なお、２つの第１のヒートパイプ１３Ａは、受熱部分の設置高さが放熱部分の設置高さよりも高い、いわゆるトップヒート状態で設置されている。しかしながら、２つの第１のヒートパイプ１３Ａは、トップヒート対応のヒートパイプを使用しているため、冷却性能が発揮されない事態は生じない。具体的には、第１のヒートパイプ１３Ａの内周面に設けるウィックには、銅粉末を一定の厚みで焼結して形成した多孔質層を用いた。
【００２３】
第２のヒートパイプ１３Ｂは、第３の発熱部品２８の冷却用に用いられる。第２のヒートパイプ１３Ｂは、例えば銅などによって形成された中空な棒状の本体の内部に、水などの作動流体を封入して形成されている。第２のヒートパイプ１３Ｂは、第３の発熱部品２８に熱的に接続される第３の端部３７と、第３の端部３７とは反対側に設けられる第４の端部３８と、を有している。第３の端部３７は、第２の受熱板３９を介して第２の発熱部品２７に熱的に接続されている。第４の端部３８は、ファンユニット１５の排気口部４６の上側の半部４６Ｂに対向している。なお、第２のヒートパイプ１３Ｂは、受熱部分の設置高さが放熱部分の設置高さが略同等に設置されており、トップヒート状態とはなっていない。このため、第２のヒートパイプ１３Ｂに用いるウィックは、第２のヒートパイプ１３Ｂの内周面に形成した複数の細溝である。
【００２４】
また、本実施形態では、第４の端部３８が排気口部４６よりも上側に配置されているが、これに限定されるものではない。第４の端部３８が排気口部４６に正対するように、排気口部４６を大きく設けても良い。
【００２５】
また、図２に示すように、ファンユニット１５と第２の発熱部品２７との間の距離は、ファンユニット１５と第３の発熱部品２８との間の距離よりも短くなっている。このため、第１のヒートパイプ１３Ａの長さは、第２のヒートパイプ１３Ｂの長さよりも短いものになっている。
【００２６】
図２、図３に示すように、第１のヒートシンク１４Ａは、第１のヒートパイプ１３Ａの第２の端部３４および第２のヒートパイプ１３Ｂの第４の端部３８に接続されて、第１のヒートパイプ１３Ａおよび第２のヒートパイプ１３Ｂの放熱を促進するものである。第１のヒートシンク１４Ａは、後述する第１のファンユニット１５の排気口部４６に対向する位置に配置されている。第１のヒートシンク１４Ａは、第２の端部３４および第４の端部３８に接続された複数のフィン４１Ａを有している。
【００２７】
ファンユニット１５は、第２のプリント回路板１２Ｂよりも下側の位置に配置されている。ファンユニット１５は、第１〜第３のプリント回路板１２Ａ〜Ｃから発生した熱を筐体１６の外部に排出することができる。図４と図６に示すように、ファンユニット１５は、ファン本体４２と、ファン本体４２の周囲を取り囲む箱状のファンケース４３と、ファン本体４２の回転を駆動するモータ４７と、を有している。ファンケース４３は、上部に設けられる第１の吸気口部４４と、下部に設けられる第２の吸気口部４５と、側部に設けられる排気口部４６と、を有している。
【００２８】
第１の吸気口部４４は、筐体１６の内部とファンケース４３の内部とを連続させている。また、第２の吸気口部４５は、筐体１６の外部とファンケース４３の内部とを連続させている。第１のファンユニット１５は、第１の吸気口部４４を介して、筐体１６の内部から空気を吸気することができる。同様に、第１のファンユニット１５は、第２の吸気口部４５を介して、筐体１６の外部から空気を吸気することができる。第１のファンユニット１５は、排気口部４６を介して、ファン本体４２からの送風を第１のヒートシンク１４Ａおよび筐体１６の外部に向けて送ることができる。
【００２９】
図６、図７に示すように、第２のヒートシンク１４Ｂは、第４の発熱部品３２と熱的に接続されている。第２のヒートシンク１４Ｂは、上方に向けて起立した複数の放熱フィン５１を有している。放熱フィン５１は、筐体１６に設けられた吸気用の開口部１６Ａと、ファンユニット１５とを結んだ方向に沿った方向に配置されている。このため、開口部１６Ａからファンユニット１５に向かう空気の流れを乱すことなく、第４の発熱部品３２の冷却が円滑になされる。
【００３０】
ここで、第１および第２のハードディスクドライブ装置１７Ａ，Ｂの冷却作用および第１から第４の発熱部品３２の冷却作用について説明する。図２に示すように、第１のハードディスク装置１７Ａおよび第２のハードディスク装置１７Ｂは、第１の補助ファンユニット５２によって筐体１６の外部から吸引した空気によって冷却される。また、第１のハードディスク装置１７Ａおよび第２のハードディスク装置１７Ｂの冷却に使用された空気は、電源回路部品１９の冷却にも用いられる。電源回路部品１９の冷却に用いられた空気は、第２の補助ファンユニット５３の作用によって筐体１６の外部に排出される。
【００３１】
図６に示すように、第１の発熱部品２４で発生した熱は、周囲を流れる空気に伝達されて、ファンユニット１５に送られる。ファンユニット１５に送られた空気は、排気口部４６を介して筐体１６の外部に排出される。
【００３２】
図３に示すように、第２の発熱部品２７で発生した熱は、第１の受熱板３５および２本の第１のヒートパイプ１３Ａを介して、第２の端部３４および第１のヒートシンク１４Ａまで運ばれる。このとき、一方の第１のヒートパイプ１３Ａの第２の端部３４は、ファンユニット１５の排気口部４６の下側の半部４６Ａに対向している。この排気口部４６の下側の半部４６Ａには、主として第２の吸気口部４５を介して筐体１６の外部から吸引された空気が送られる。このため、一方の第１のヒートパイプ１３Ａａの第２の端部３４には、温度の低い空気が送られて、第２の発熱部品２７の冷却が他の発熱部品よりも優先的になされる。また、他方の第１のヒートパイプ１３Ａｂの第２の端部３４は、ファンユニット１５の排気口部４６の上側の半部４６Ｂに対向している。この他方の第１のヒートパイプ１３Ａによっても第２の発熱部品２７の冷却がなされるため、第２の発熱部品２７の冷却はさらに促進される。
【００３３】
第３の発熱部品２８で発生した熱は、第２の受熱板３９および第２のヒートパイプ１３Ｂを介して、第４の端部３８および第１のヒートシンク１４Ａまで運ばれる。このとき、第４の端部３８および第１のヒートシンク１４Ａまで運ばれた熱は、ファンユニット１５から送られる空気に伝達されて筐体１６の外部に排出される。
【００３４】
図６と図７に示すように、第４の発熱部品３２で発生した熱は、第２のヒートシンク１４Ｂに伝達される。第２のヒートシンク１４Ｂに伝達された熱は、筐体１６の開口部１６Ａから吸引された空気に伝達され、ファンユニット１５の排気口部４６に送られてその後筐体１６の外部に排出される。第４の発熱部品３２の発熱量は小さいので、この第２のヒートシンク１４Ｂによっても第４の発熱部品３２の冷却は十分になされる。
【００３５】
第１の実施形態によれば、テレビ接続機器１１は、支持部１０を有する第１の壁２１と、第１の壁２１と対向する第２の壁２２と、を有する筐体１６と、筐体１６の内部に収容されるとともに、第１のプリント配線板２３と、これに固定される第１の発熱部品２４と、を有する第１のプリント回路板１２Ａと、筐体１６の内部に収容されるとともに、第２のプリント配線板２６と、これに固定される第２の発熱部品２７および第３の発熱部品２８とを有し、第１のプリント回路板１２Ａよりも大きい発熱量を有するとともに、第１のプリント回路板１２Ａと第２の壁２２との間の位置で、隙間を有して第１のプリント回路板１２Ａに対向した第２のプリント回路板１２Ｂと、筐体１６の内部に収容されるとともに、第３のプリント配線板３１と、これに固定される第４の発熱部品３２とを有し、第１のプリント回路板１２Ａよりも小さい発熱量を有するとともに、第１のプリント回路板１２Ａと第１の壁２１との間の位置で、隙間を有して第１のプリント回路板１２Ａに対向した第３のプリント回路板１２Ｃと、筐体１６の内部に収容されるとともに、第１のプリント回路板１２Ａ、第２のプリント回路板１２Ｂ、および第３のプリント回路板１２Ｃから発生した熱を筐体１６の外部に排出するファンユニット１５と、を具備する。
【００３６】
この構成によれば、ファンユニット１５によって第１から第４の発熱部品２４、２７、２８、３２から発生した熱を筐体１６の外部に放出できる。また、このとき、最も発熱量の大きい第２のプリント回路板１２Ｂが最上部に配置されているため、第２のプリント回路板１２Ｂから発生した熱が他のプリント回路板に悪影響を及ぼしてしまうことを防止できる。
【００３７】
この場合、第２の発熱部品２７および第３の発熱部品２８は、第２のプリント配線板２６の下面に固定されており、第２のプリント回路板１２Ｂは、ファンユニット１５の上側に重なって配置されている。この構成によれば、第２のプリント配線板２６が蓋のように作用し、第２の発熱部品２７および第３の発熱部品２８から発生した熱を、第２のプリント配線板２６の下側に配置されたファンユニット１５によって効率よく筐体１６の外部に排出できる。
【００３８】
本実施形態のテレビ接続機器１１は、第２の発熱部品２７に熱的に接続される第１の端部３３と、第１の端部３３とは反対側に設けられるとともにファンユニット１５の近傍に配置される第２の端部３４と、を有した第１のヒートパイプ１３Ａａを具備し、ファンユニット１５は、ファン本体４２と、ファン本体４２の周囲を取り囲むファンケース４３と、を備え、ファンケース４３は、上部に設けられるとともに筐体１６の内部とファンケース４３の内部とを連続させた第１の吸気口部４４と、下部に設けられるとともに筐体１６の外部とファンケース４３の内部とを連続させた第２の吸気口部４５と、側部に設けられるとともにファン本体４２からの送風を筐体１６の外部に向けて送るための排気口部４６と、を有し、第２の発熱部品２７の発熱量は、第３の発熱部品２８の発熱量よりも大きくなっており、第２の端部３４は、排気口部４６の下側の半部４６Ａに対向して配置される。
【００３９】
この構成によれば、第２の吸気口部４５を介して筐体１６の外部から吸引された空気は、主として排気口部４６の下側の半部４６Ａに向けて送られる。このため、発熱量の大きい第２の発熱部品２７に接続された第１のヒートパイプ１３Ａａの第２の端部３４を効率よく冷却して、第２の発熱部品２７の冷却を他の発熱部品よりも優先的に行うことができる。
【００４０】
また、テレビ接続機器１１は、第３の発熱部品２８に熱的に接続される第３の端部３７と、第３の端部３７とは反対側に設けられるとともにファンユニット１５の排気口部４６の近傍に配置される第４の端部３８と、を有した第２のヒートパイプ１３Ｂを具備する。これによれば、第２のヒートパイプ１３Ｂによって第３の発熱部品２８を冷却することができる。その際、第２のヒートパイプ１３Ｂの第４の端部３８は、ファンユニット１５の排気口部４６の下側の半部４６Ａに配置されるわけではないので、第３の発熱部品２８の冷却効率は、第２の発熱部品２７の冷却効率よりも劣ることになる。しかし、第３の発熱部品２８の発熱量は、第２の発熱部品２７の発熱量よりも小さいため冷却効率が劣っていても差し支えない。むしろ、第１のヒートパイプ１３Ａおよび第２のヒートパイプ１３Ｂのレイアウトを工夫することで、優先度に応じた各発熱部品の冷却を実現できる。
【００４１】
本実施形態のように、最上部にある第２のプリント回路板１２Ｂの第２の発熱部品２７と接続した第１のヒートパイプ１３Ａを、第１のプリント回路板１２Ａよりも下側にあるファンユニット１５の近傍、すなわち、排気口部４６の下側の半部４６Ａにまで引き回すようにすると、中間位置にある第１のプリント回路板１２Ａとこの第１のヒートパイプ１３Ａとが干渉する恐れがある。本実施形態では、第１のプリント回路板１２Ａは、第２のヒートパイプ１３Ｂと重なる位置で、第１のヒートパイプ１３Ａから外れた位置に配置される。これによれば、第１のヒートパイプ１３Ａと第１のプリント回路板１２Ａとが干渉してしまうことを防止できる。
【００４２】
通常、ヒートパイプの長さが短くなればなるほど、ヒートパイプの熱輸送性能は向上する。本実施形態では、ファンユニット１５と第２の発熱部品２７との距離は、ファンユニット１５と第３の発熱部品２８との距離よりも短い。このため、第１のヒートパイプ１３Ａの長さを第２のヒートパイプ１３Ｂよりも短くすることができる。これによって、第１のヒートパイプ１３Ａの熱輸送量を大きくして、第２の発熱部品２７を効率よく冷却することができる。
【００４３】
また、第３の発熱部品２８は、第１の発熱部品２４に重なる位置に設けられるとともに、第２の発熱部品２７は、第１の発熱部品２４から外れた位置に設けられる。この構成によれば、発熱量の大きい第２の発熱部品２７を第１の発熱部品２４から外れた位置に配置することができる。これによって、筐体１６の内部の一箇所に熱が集中してしまうことを防止できる。
【００４４】
テレビ接続機器１１は、筐体１６に設けられるとともに、外部から筐体１６の内部に空気を取り入れることができる開口部１６Ａと、第４の発熱部品３２の冷却を促進するための複数の放熱フィン５１を有した第２のヒートシンク１４Ｂを具備し、複数の放熱フィン５１は、開口部１６Ａとファンユニット１５とを結んだ方向に沿った方向に配置される。この構成によれば、開口部１６Ａからファンユニット１５に向けて送られる空気の流れが放熱フィン５１によって乱されることがなく、第４の発熱部品３２の冷却および第１および第２のヒートパイプ１３Ｂの冷却を円滑に行うことができる。
【００４５】
本発明のテレビ接続機器は、その他、発明の要旨を逸脱しない範囲で種々変形して実施することができる。
【符号の説明】
【００４６】
１１…テレビ接続機器、１２Ａ〜Ｃ…第１〜第３のプリント回路板、１３Ａ，Ｂ…第１および第２のヒートパイプ、１４Ｂ…第２のヒートシンク、１５…ファンユニット、１６…筐体、１６Ａ…開口部、２３…第１のプリント配線板、２４…第１の発熱部品、２６…第２のプリント配線板、２７…第２の発熱部品、２８…第３の発熱部品、３１…第３のプリント配線板、３２…第４の発熱部品、３３…第１の端部、３４…第２の端部、３７…第３の端部、３８…第４の端部、４２…ファン本体、４３…ファンケース、４４…第１の吸気口部、４５…第２の吸気口部、４６…排気口部、４６Ａ…下側の半部、４６Ｂ…上側の半部、５１…放熱フィン
【図１】
2011077347.tif 000003
【図２】
2011077347.tif 000004
【図３】
2011077347.tif 000005
【図４】
2011077347.tif 000006
【図５】
2011077347.tif 000007
【図６】
2011077347.tif 000008
【図７】
2011077347.tif 000009
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
支持部を有する第１の壁と、前記第１の壁と対向する第２の壁と、を有した筐体と、
前記筐体の内部に収容されるとともに、第１のプリント配線板に固定された第１の発熱部品を有した第１のプリント回路板と、
前記筐体の内部に収容されるとともに、第２のプリント配線板の前記第１の壁側の面に固定された第２の発熱部品と第３の発熱部品とを有し、前記第１のプリント回路板と前記第２の壁との間の位置で、隙間を有して前記第１のプリント回路板に対向した第２のプリント回路板と、
前記筐体の内部に収容されるとともに、第３のプリント配線板に固定された第４の発熱部品を有し、前記第１のプリント回路板と前記第１の壁との間の位置で、隙間を有して前記第１のプリント回路板に対向した第３のプリント回路板と、
前記筐体の内部に収容されるとともに、前記第１のプリント回路板、前記第２のプリント回路板、および前記第３のプリント回路板から発生した熱を前記筐体の外部に排出するファンユニットと、
を具備し、
前記第２のプリント回路板は、前記ファンユニットの前記第２の壁側に重なって配置され、
前記ファンユニットは、
ファン本体と、
前記ファン本体の周囲を取り囲むファンケースと、
を備え、
前記ファンケースは、
前記第２の壁側に設けられるとともに前記筐体の内部と前記ファンケースの内部とを連続させた第１の吸気口部と、
前記第１の壁側に設けられるとともに前記筐体の外部と前記ファンケースの内部とを連続させた第２の吸気口部と、
側部に設けられるとともに前記ファン本体からの送風を前記筐体の外部に向けて送る排気口部と、
を有することを特徴とする電子機器。
【請求項２】
前記第２の発熱部品に熱的に接続された第１の端部と、前記第１の端部とは反対側に設けられるとともに前記ファンユニットの近傍に配置された第２の端部と、を有した第１のヒートパイプを具備し、
前記第２の発熱部品の発熱量は、前記第３の発熱部品の発熱量よりも大きくなっており、
前記第２の端部は、前記排気口部の下側の半部に対向して配置されることを特徴とする請求項１に記載の電子機器。
【請求項３】
前記第３の発熱部品に熱的に接続される第３の端部と、前記第３の端部とは反対側に設けられるとともに前記ファンユニットの排気口部の近傍に配置される第４の端部と、を有した第２のヒートパイプを具備することを特徴とする請求項２に記載の電子機器。
【請求項４】
前記第１のプリント回路板は、前記第２のヒートパイプと重なる位置で、前記第１のヒートパイプから外れた位置に配置されたことを特徴とする請求項３に記載の電子機器。
【請求項５】
前記ファンユニットと前記第２の発熱部品との距離は、前記ファンユニットと前記第３の発熱部品との距離よりも短いことを特徴とする請求項４に記載の電子機器。
【請求項６】
前記第３の発熱部品は、前記第１の発熱部品に重なる位置に設けられるとともに、前記第２の発熱部品は、前記第１の発熱部品から外れた位置に設けられることを特徴とする請求項５に記載の電子機器。
【請求項７】
前記筐体に設けられるとともに、外部から前記筐体の内部に空気を取り入れることができる開口部と、
第４の発熱部品の冷却を促進するための複数の放熱フィンを有したヒートシンクを具備し、
前記複数の放熱フィンは、前記開口部と前記ファンユニットとを結んだ方向に沿った方向に配置されたことを特徴とする請求項６に記載の電子機器。
【請求項８】
支持部を有する第１の壁と、前記第１の壁と対向する第２の壁と、を有した筐体と、
前記筐体に収容され、第１の発熱部品を有した第１のプリント回路板と、
前記筐体内で前記第１のプリント回路板と前記第２の壁との間に位置され、前記第１の壁側の面に第２の発熱部品が設けられた第２のプリント回路板と、
前記筐体内で前記第１のプリント回路板と前記第１の壁との間に位置され、第３の発熱部品が設けられた第３のプリント回路板と、
前記第２の壁側で前記筐体の内部と連続した第１の吸気口部と、前記第１の壁側で前記筐体の外部と連続した第２の吸気口部と、側部に開口された排気口部と、が設けられ、前記第２の壁側で前記第２のプリント回路板と一部が重なるファンケースを有したファンユニットと、
を有することを特徴とする電子機器。
【手続補正２】
【補正対象書類名】明細書
【補正対象項目名】０００７
【補正方法】変更
【補正の内容】
【０００７】
前記目的を達成するため、本発明の一つの形態に係る電子機器は、支持部を有する第１の壁と、前記第１の壁と対向する第２の壁と、を有した筐体と、前記筐体の内部に収容されるとともに、第１のプリント配線板に固定された第１の発熱部品を有した第１のプリント回路板と、前記筐体の内部に収容されるとともに、第２のプリント配線板の前記第１の壁側の面に固定された第２の発熱部品と第３の発熱部品とを有し、前記第１のプリント回路板と前記第２の壁との間の位置で、隙間を有して前記第１のプリント回路板に対向した第２のプリント回路板と、前記筐体の内部に収容されるとともに、第３のプリント配線板に固定された第４の発熱部品を有し、前記第１のプリント回路板と前記第１の壁との間の位置で、隙間を有して前記第１のプリント回路板に対向した第３のプリント回路板と、前記筐体の内部に収容されるとともに、前記第１のプリント回路板、前記第２のプリント回路板、および前記第３のプリント回路板から発生した熱を前記筐体の外部に排出するファンユニットと、を具備し、前記第２のプリント回路板は、前記ファンユニットの前記第２の壁側に重なって配置され、前記ファンユニットは、ファン本体と、前記ファン本体の周囲を取り囲むファンケースと、を備え、前記ファンケースは、前記第２の壁側に設けられるとともに前記筐体の内部と前記ファンケースの内部とを連続させた第１の吸気口部と、前記第１の壁側に設けられるとともに前記筐体の外部と前記ファンケースの内部とを連続させた第２の吸気口部と、側部に設けられるとともに前記ファン本体からの送風を前記筐体の外部に向けて送る排気口部と、を有する。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
支持部を有する第１の壁と、前記第１の壁と対向する第２の壁と、を有した筐体と、
前記筐体に収容され、第１の発熱部品を有した第１のプリント回路板と、
前記第１のプリント回路板よりも発熱量が大きくなるとともに、前記筐体内で前記第１のプリント回路板と前記第２の壁との間に位置され、前記第１の壁側の面に第２の発熱部品および第３の発熱部品が設けられた第２のプリント回路板と、
前記第１のプリント回路板よりも発熱量が小さくなるとともに、前記筐体内で前記第１のプリント回路板と前記第１の壁との間に位置され、第４の発熱部品が設けられた第３のプリント回路板と、
前記第２の壁側で前記筐体の内部と連続した第１の吸気口部と、前記第１の壁側で前記筐体の外部と連続した第２の吸気口部と、側部に開口された排気口部と、が設けられ、前記第２の壁側で前記第２のプリント回路板と一部が重なるファンケースを有したファンユニットと、
を有することを特徴とする電子機器。
【請求項２】
前記第２の発熱部品に熱的に接続された第１の端部と、前記第１の端部とは反対側に設けられるとともに前記ファンユニットの近傍に配置された第２の端部と、を有した第１のヒートパイプを具備し、
前記第２の発熱部品の発熱量は、前記第３の発熱部品の発熱量よりも大きくなっており、
前記第２の端部は、前記排気口部の下側の半部に対向して配置されることを特徴とする請求項１に記載の電子機器。
【請求項３】
前記第３の発熱部品に熱的に接続される第３の端部と、前記第３の端部とは反対側に設けられるとともに前記ファンユニットの排気口部の近傍に配置される第４の端部と、を有した第２のヒートパイプを具備することを特徴とする請求項２に記載の電子機器。
【請求項４】
前記第１のプリント回路板は、前記第２のヒートパイプと重なる位置で、前記第１のヒートパイプから外れた位置に配置されたことを特徴とする請求項３に記載の電子機器。
【請求項５】
前記ファンユニットと前記第２の発熱部品との距離は、前記ファンユニットと前記第３の発熱部品との距離よりも短いことを特徴とする請求項４に記載の電子機器。
【請求項６】
前記第３の発熱部品は、前記第１の発熱部品に重なる位置に設けられるとともに、前記第２の発熱部品は、前記第１の発熱部品から外れた位置に設けられることを特徴とする請求項５に記載の電子機器。
【請求項７】
前記筐体に設けられるとともに、外部から前記筐体の内部に空気を取り入れることができる開口部と、
第４の発熱部品の冷却を促進するための複数の放熱フィンを有したヒートシンクを具備し、
前記複数の放熱フィンは、前記開口部と前記ファンユニットとを結んだ方向に沿った方向に配置されたことを特徴とする請求項６に記載の電子機器。